(57)【特許請求の範囲】
【請求項１】
回路基板を収容するハウジングを利用したボタン電池保持構造であって、前記ハウジングに、２個のボタン電池の各々を出し入れする開口を、それぞれに形成した一組の電池収容穴部を並設するように、前記ハウジングに一体成形するとともに、前記ハウジングに、前記一組の電池収容穴部の各々に収容される合計２個のボタン電池を保持する構造を一体成形し、且つ、
前記回路基板の、前記一組の電池収容穴部の間の位置に、前記一組の電池収容穴部の双方にまたがるように、第１、第２の導電端子を取り付け、前記回路基板を前記ハウジングに収容すると、前記第１の導電端子が、前記一組の電池収容穴部の各々に収容される合計２個の電池の双方の第１の電極に接触し、前記第２の導電端子が、前記一組の電池収容穴部の各々に収容される合計２個の電池の双方の第２の電極に接触するように、前記第１の導電端子と前記第２の導電端子とが、各々、一組の電池収容穴部の各々内に現れるようにしたボタン電池保持構造。
【請求項２】
前記一組の電池収容穴部の各々に収容される合計２個のボタン電池を保持する構造が、前記一組の電池収容穴部の開口の各々に、弾性を有する係止爪を、前記ハウジングに一体に設けた構造となっている、請求項１に記載のボタン電池保持構造。
【請求項３】
前記一組の電池収容穴部の各々内に現れるようにした第１の導電端子が、前記一組の電池収容穴部の各々に収容された合計２個のボタン電池の第１の電極の双方に接触するように設けられたＶ字状の接触片を有している、請求項１又は請求項２に記載のボタン電池保持構造。
【請求項４】
前記第１の導電端子のＶ字状の接触片の半体片の各々が、前記一組の電池収容穴部の開口の各々に設けられた弾性を有する係止爪と対向配置され、前記一組の電池収容穴部に収容された２個のボタン電池を、前記一組の電池収容穴部の開口の各々に設けられた弾性を有する係止爪と前記第１の導電端子のＶ字状の接触片とにより挟持する構造とした、請求項３に記載のボタン電池保持構造。
【請求項５】
前記第１の導電端子には、前記第１の導電端子のＶ字状の接触片が前記一組の電池収容穴部の開口の各々に設けられた弾性を有する係止爪と対向配置されるようにするための高さ調整をする軸体が設けられている、請求項３又は請求項４に記載のボタン電池保持構造。
【請求項６】
前記一組の電池収容穴部の開口の各々に、前記弾性を有する係止爪を設けた側と反対側に、更に、脱落防止片を、前記一組の電池収容穴部の開口に突設するように設けた、請求項２〜５のいずれかに記載のボタン電池保持構造。
【請求項７】
前記脱落防止片は、前記電池収容穴部に形成した開口に面一になるように一体形成されている、請求項６に記載のボタン電池保持構造。
【請求項８】
前記脱落防止片は、前記第１の導電端子のＶ字状の接触片の半体片を隠すように設けられている、請求項６又は請求項７に記載のボタン電池保持構造。
【請求項９】
前記第２の導電端子が、前記一組の電池収容穴部の各々に収容される合計２個のボタン電池の第２の電極の各々に接触する２つの接触片を有している、請求項２〜８のいずれかに記載のボタン電池保持構造。
【請求項１０】
前記第２の導電端子の２つの接触片の各々が、バネ状にされている、請求項９に記載のボタン電池保持構造。
【請求項１１】
前記第２の導電端子の２つの接触片の各々が、前記一組のボタン電池収容部の各々の、前記一組のボタン電池収容部が互いに近接する側に設けられている、請求項９又は請求項１０に記載のボタン電池保持構造。
【請求項１２】
前記一組の電池収容穴部の各々の前記弾性を有する係止爪を設けた側と反対側の周部の各々に、前記一組の電池収容穴部の各々に、第１の導電端子のＶ字状の接触片の半体片の各々対応するように半体片取付孔を設け、且つ、前記一組の電池収容穴部の各々の底面の第１の導電端子の半体片取付孔の近傍位置に、前記第１の導電端子のＶ字状の接触片の半体片の各々が、前記一組の電池収容穴部の各々に対応して設けられる前記第２の導電端子の２つの接触片の各々に接触するのを防止するためのストッパーを、前記ハウジングと一体に設けた、請求項２〜１１のいずれかに記載のボタン電池保持構造。
【請求項１３】
前記弾性を有する係止爪が、前記ハウジングの一端から前記電池収容穴部の開口に突出するように且つ前記回路基板方向にＵ字形状に設けられ、その終端部が前記ハウジングの面と同じ方向を向くようにされた形状になっている、請求項２〜１２のいずれかに記載のボタン電池保持構造。
【請求項１４】
前記弾性を有する係止爪に、更に、前記ハウジングの外方へ突出するように、操作突部を設けた、請求項１２に記載のボタン電池保持構造。
【請求項１５】
前記ハウジングが、ベースハウジングである、請求項１〜１４のいずれかに記載のボタン電池保持構造。
【請求項１６】
請求項１５に記載のボタン電池保持構造を備え、前記回路基板に電子部品を実装し、且つ、前記ベースハウジングの上面に、操作スイッチを有したカバー体を取り付けた、ワイヤレス送信器。
【発明の詳細な説明】
【０００１】
【発明の属する技術分野】
【０００２】
本発明は、ボタン電池保持構造及びワイヤレス送信器に関し、特に、ボタン電池を保持する際に、ボタン電池を固定する蓋体を敢えて必要とせず、構造が簡単で、且つ、組立が容易な、ボタン電池保持構造、及び、そのようなボタン電池保持構造を採用したワイヤレス送信器に関する。
【従来の技術】
【０００３】
近時、ワイヤレスリモコン操作器その他のワイヤレス送信器（以下、単に、ワイヤレス送信器という。）の電子機器の小型化、軽量化に伴って、電子機器の駆動用電源として用いる電池も、小型で高性能のリチウム電池等の円盤形状のボタン電池が幅広く用いられるようになっている。
【０００４】
ボタン電池Ｂは、図７に示すように、一方の面Ｂａが第２の電極（負極）に、第２の電極（負極）と電気的に絶縁状態にされた他方の面Ｂｂ及びその側周面Ｂｃとが、第１の電極（正極）になっており、且つ、一方の面Ｂａが他方の面Ｂｂより小さい直径を有する構造となっている。図８は、一般に用いられている、従来の電子機器に採用されている、ボタン電池を固定する蓋体を備えるボタン電池保持構造を概略的に示す構成図である。
【０００５】
このボタン電池保持構造１０１は、ボタン電池Ｂがほぼ収容される電池収容凹部１０２ａを有する電池ホルダ部１０２ｂと蓋体１０２ｃとを備える電池ホルダー１０２と、この電池ホルダー１０２の電池ホルダ部１０２ｂを収容するケース体１０３とを備える。このケース体１０３には、電池ホルダ部１０２ｂを挿入するための挿入孔１０３ａが設けられており、その内部には、電池ホルダ部１０２ｂを収容する電池ホルダ収容部１０３ｂが設けられている。電池ホルダ収容部１０３ｂの内底部には、ボタン電池Ｂの第２の電極（負極）（図示せず）に電気的に接触する第２の導電端子（負極接触用端子）１０５が設けられ、また、電池ホルダ収容部１０３ｂの内奥部には、ボタン電池Ｂの第１の電極（正極）に電気的に接触する第１の導電端子（正極接触用端子）１０４が、電池ホルダ部１０２ｂの挿入される方向に弾性変形可能なように突出するように設けられている。また、挿入孔１０３ａの両端部には、蓋体１０２ｃを収容するとともに嵌合する蓋体収容凹部１０３ｃが設けられている。
【０００６】
このボタン電池保持構造１０１に、ボタン電池Ｂを保持する際には、まず、電池ホルダー１０２の電池収容凹部１０２ａにボタン電池Ｂを収容し、ついで、電池ホルダー１０２の電池ホルダ部１０２ｂを、ケース体１０３の挿入孔１０３ａに挿入し、電池ホルダ部１０２ｂを電池ホルダ収容部１０３ｂに収容し、電池ホルダー１０２の蓋体１０２ｃを蓋体収容凹部１０３ｃに収容するとともに嵌合する。この操作により、ボタン電池Ｂの第２の電極（負極）（図示せず）が第２の導電端子（負極接触用端子）１０５に電気的に接触し、且つ、第１の導電端子（正極接触用端子）１０４の復元力による、第１の導電端子（正極接触用端子）１０４と、蓋体１０２ｃとの挟持により、ボタン電池保持構造１０１へボタン電池Ｂの物理的保持と、ボタン電池Ｂの第１の電極（正極）と第１の導電端子（正極接触用端子）１０４との電気的な接続が確保できるようにしている。
【０００７】
また、ボタン電池Ｂの交換をするために、ボタン電池保持構造１０１に保持されているボタン電池Ｂを取り出す際には、ケース体１０３の蓋体収容凹部１０３ｃに収容・嵌合されている蓋体１０２ｃの蓋体収容凹部１０３ｃへの嵌合を解除すると、第１の導電端子（正極接触用端子）１０４の復元力により、自然に、ケース体１０３の挿入孔１０３ａから電池ホルダー１０２が排出されるので、挿入孔１０３ａから電池ホルダー１０２を完全に抜き取った後、電池ホルダー１０２の電池収容凹部１０２ａからボタン電池Ｂを抜き取るようにする。
【０００８】
ところで、このボタン電池保持構造１０１には、何等かの力により、蓋体収容凹部１０３ｃと蓋体１０２ｃとの嵌合が解除されてしまうと、第１の導電端子（正極接触用端子）１０４の復元力により、電池ホルダー１０２が勝手にケース体１０３から抜け落ちてしまい、電子機器の動作が停止してしまうといった問題がある。
【０００９】
このような問題を解決したものとしては、図９及び図１０に示したようなボタン電池保持構造が既に提案されている。このボタン電池保持構造２０１は、専用のホルダー本体２１１と、第１の導電端子２０４と、第２の導電端子２０５とを備え、ホルダー本体２１１を回路基板２２０に取り付けるようになっている。
【００１０】
ホルダー本体２１１は、合成樹脂等の絶縁材料で製されており、図９（ａ）及び図９（ｂ）に示すように、ボタン電池Ｂの一方の面（図７に示すボタン電池Ｂの一方の面Ｂａ（第２の電極（負極）））に合わせた大きさと形状とを有する円形形状の板部２１１ａと、ボタン電池Ｂの側周面Ｂｃに対応する周部２１１ｂとを有し、ボタン電池Ｂの他方の面Ｂｂに対応する部分は開かれて、いわゆる開口２１１ｃが形成されている。更に、周部２１１ｂの一部は切欠されて切欠部２１１ｄが形成されている。また、周部２１１ｂの切欠部２１１ｄが設けられた側と反対側には、貫通孔２１１ｅが形成され、更に、板部２１１ａにも貫通孔２１１ｆが形成され、更に、周部２１１ｂの左右部分（切欠部２１１ｄと貫通孔２１１ｅとを結ぶ線に直交する方向に位置する部分）には、第１の導電端子２０４を係合する係合孔２１１ｇ、２１１ｇが形成されている。
【００１１】
更に、ホルダー本体２１１の周部２１１ｂには、切欠部２１１ｄの両側と、切欠部２１１ｄが設けられた側の反対側の部分に、開口２１１ｃの一部を閉塞するように設けられた脱落防止片２１１ｈ、２１１ｈ、２１１ｊ、２１１ｊが設けられている。第１の導電端子２０４は、導電性と弾性とを有する材料で製されており、図１０（ａ）に示すように、弓状に彎曲された、ボタン電池Ｂの第１の電極（正極）を構成している側周面Ｂｃへの接触部２０４ａと、その中央において、下方に突出された突片２０４ｂと、その中央において、上方に突出され、その後、接触部２０４ａの後方において下方に折り返された係止片２０４ｃとを備え、係止片２０４ｃには、更に、図９（ｂ）に示すような切起こし片２０４ｄが設けられた形状となっている。
【００１２】
第２の導電端子２０５は、導電性と弾性とを有する材料で製されており、図１０（ｂ）に示すように、主板部２０５ａと、その両端において、各々、上方に折曲げられた一対の折曲片２０５ｂ、２０５ｂと、主板部２０５ａのほぼ中央において、主板部２０５ａの長手方向と直交する方向に突出するように設けられた延長片２０５ｃと、延長片２０５ｃの両側において、延長片２０５ｃと同方向に突出され、主板部２０５ａに対して傾斜するように設けられ、且つ、ボタン電池Ｂの第２の電極（負極）に電気的に接触するように設けられた一対の接触片２０５ｄ、２０５ｄとを備え、更に、延長片２０５ｃの先端が下方に折曲げられ、突片２０５ｅが形成された形状となっている。また、折曲片２０５ｂ、２０５ｂの各々の幅は、主板部２０５ａの幅より狭く、且つ、ホルダー本体２１１の周部２１１ｂに設けられた係合孔２１１ｇ、２１１ｇの各々の幅より僅かに狭く設けられている。
【００１３】
このボタン電池保持構造２０１を組み立てる際には、まず、第１の導電端子２０４の突片２０４ｂを板部２１１ａの貫通孔２１１ｆに入れ、係止片２０４ｃを周部２０４ｂの貫通孔２１１ｅに入れて、第１の導電端子２０４をホルダー本体２１１に取り付ける。次いで、第２の導電端子２０５の両側に形成した折曲片２０５ａ、２０５ａの各々を、周部２０４ｂの係合孔２１１ｇ、２１１ｇに係合して、第２の導電端子２０５をホルダー本体２１１に取り付ける。
【００１４】
次いで、以上の作業により、第１の導電端子２０４と第２の導電端子２０５とを取り付けたホルダー本体２１１を、回路基板２２０に形成した貫通孔２２０ａ、２１１ｂに、第１の導電端子２０４の突片２０４ｂを貫通孔２２０ａに、また、第２の導電端子２０５の突片２０５ｅを貫通孔２２０ｂに入れるとともに、半田付け等に手段にて、回路基板２２０のプリント配線に、第１の導電端子２０４及び第２の導電端子２０５を物理的、電気的に取り付けることで、ボタン電池保持構造２０１としている。
【００１５】
そして、ボタン電池Ｂをボタン電池保持構造２０１に収容する際には、図１１に示すように、ホルダー本体２１１の開口２１１ｃからボタン電池Ｂを斜めに差し込んで、切欠部２１１ｄに指の爪先（指先）を当てがって、切欠部２１１ｄ側からボタン電池Ｂを第１の導電端子２０４に押し付けるようにすると、第１の導電端子２０４の接触部２０４ａが、この押圧により後退し、ボタン電池Ｂの切欠部２１１ｄ側の端部が、切欠部２１１ｄの両側に設けられた脱落防止片２１１ｈ、２１１ｈの端部を乗り越え、この時、ボタン電池Ｂを板部２１１ａ方向に押し付けると、ボタン電池Ｂが、第２の導電端子２０５の接触片２０５ｃ、２０５ｃによる弾力に抗して降下し、脱落防止片２１１ｈ、２１１ｈより降下した時に、第１の導電端子２０４の復元力により、ボタン電池Ｂが、ホルダー本体２１１の切欠部２１１ｄの両側付近の周部２０４ｂに押し付けられる。更に、ホルダー本体２１１に設けられた脱落防止片２１１ｈ、２１１ｈ、２１１ｊ、２１１ｊにより、ボタン電池Ｂが、ホルダー本体２１１の開口を通じて、外部に脱落するのが防止される。以上により、ボタン電池Ｂが、ホルダー本体２１１内に、確実に保持される。
【００１６】
また、ボタン電池保持構造２０１に収容されたボタン電池Ｂを取り出す際には、切欠部２１１ｄに指の爪先（指先）を当てがって、切欠部２１１ｄ側からホルダー本体２１１内に収容されているボタン電池Ｂを第１の導電端子２０４に押し付けるようにすると、ボタン電池Ｂの切欠部２１１ｄ側の端部が、切欠部２１１ｄの両側に設けられた脱落防止片２１１ｈ、２１１ｈの端部を乗り越え、この時、第２の導電端子２０５の一対の接触片２０５ｄ、２０５ｄの復元力により、ボタン電池Ｂが、ホルダー本体２１１外へと排出されてくるので、ホルダー本体２１１外へ排出されてきたボタン電池Ｂを指先で掴んで取り出すようにする。
【発明が解決しようとする課題】
【００１７】
ボタン電池保持構造２０１は、ボタン電池Ｂを固定する蓋体を敢えて必要としないので、ボタン電池保持構造１０１の場合に問題となる、何等かの力により、蓋体収容凹部１０３ｃと蓋体１０２ｃとの嵌合が解除されることで、第１の導電端子（正極接触用端子）１０４の復元力により、電池ホルダー１０２が勝手にケース体１０３から抜け落ちてしまい、電子機器の動作が停止してしまうといった問題は解決されるものの、ホルダー本体２１１という専用の部材を必要とし、また、第１の導電端子２０４及び第２の導電端子２０５を、まず、ホルダー本体２１１に取り付け、しかる後に、ホルダー本体２１１に取り付けた第１の導電端子２０４及び第２の導電端子２０５を回路基板２２０に、物理的、電気的に取り付けて、ボタン電池保持構造２０１を組み立てているので、ボタン電池保持構造２０１の組み立てに手間がかかるという問題がある。
【００１８】
更に、ボタン電池保持構造２０１へのボタン電池Ｂの収容と、ボタン電池保持構造２０１からのボタン電池Ｂの取り出しとを行う際に、いずれも、切欠部２１１ｄに指の爪先（指先）を当てがって、切欠部２１１ｄ側からホルダー本体２１１内に収容されているボタン電池Ｂを第１の導電端子２０４に押し付けるようにしているため、ボタン電池Ｂの交換を何回か繰り返すと、第１の導電端子２０４が金属疲労を起こし、次第にへたり、ボタン電池Ｂと第１の導電端子２０４との物理的、電気的な接続が悪くなり、制御回路へ、安定した電力の供給ができなくなったり、場合によっては、第１の導電端子２０４に無理な力が加わって、第１の導電端子２０４が、塑性変形してしまったり、場合によっては、折れてしまい、回路基板２２０から取れてしまったりする場合がある。
【００１９】
また、このボタン電池保持構造２０１では、１個のボタン電池Ｂに対して、ボタン電池保持構造２０１を１個を用いる構造となっているので、２個のボタン電池Ｂを並列に接続するのが必要な電子機器にあっては、２個のボタン電池Ｂの各々に対応するように、ホルダー本体２１１、第１の導電端子２０４及び第２の導電端子２０５の各々を２個ずつ必要とするため、ボタン電池保持構造が複雑になり、ボタン電池Ｂの数に対応して、ボタン電池保持構造の組立てに手間が増えるという問題もある。
【００２０】
本発明は、以上のような問題を解決するためになされたものであって、ボタン電池を固定する蓋体が不要のボタン電池保持構造であって、ボタン電池保持構造を構成する構成部材に、電子部品等が実装された回路基板を覆うハウジングを利用することで、ボタン電池保持構造専用のホルダー本体を不要とし、組立てが容易で、且つ、ボタン電池の第１の電極（正極）に電気的な接触をする第１の導電端子が、ボタン電池の交換時にへたり難いようにした、ボタン電池保持構造を提供すること、また、そのようなボタン電池保持構造であって、２個のボタン電池Ｂを並列に接続するのが必要な電子機器のボタン電池保持構造とした場合に、用いる構成部材の数が少なく、構造が簡単で、且つ、組立が容易な、ボタン電池保持構造を提供することを目的としている。
【課題を解決するための手段】
【００２１】
請求項１に記載のボタン電池保持構造は、回路基板を収容するハウジングを利用したボタン電池保持構造であって、ハウジングに、２個のボタン電池の各々を出し入れする開口を、それぞれに形成した一組の電池収容穴部を並設するように、ハウジングに一体成形するとともに、ハウジングに、一組の電池収容穴部の各々に収容される合計２個のボタン電池を保持する構造を一体成形し、且つ、回路基板の、一組の電池収容穴部の間の位置に、一組の電池収容穴部の双方にまたがるように、第１、第２の導電端子を取り付け、回路基板をハウジングに収容すると、第１の導電端子が、一組の電池収容穴部の各々に収容される合計２個の電池の双方の第１の電極に接触し、第２の導電端子が、一組の電池収容穴部の各々に収容される合計２個の電池の双方の第２の電極に接触するように、第１の導電端子と前記第２の導電端子とが、各々、一組の電池収容穴部の各々内に現れるようにした。
【００２２】
このボタン電池保持構造は、構造が簡単で且つ組立も容易な、２個のボタン電池を並列に接続して保持できるボタン電池保持構造を提案するものであって、ボタン電池保持構造の部材として、ハウジングを利用し、構成部材の数を少なくしているので、ボタン電池保持構造を簡単化できる。
【００２３】
また、回路基板をハウジングに収容する工程で、ボタン電池保持構造が組み立てられるので、このボタン電池保持構造を採用すれば、電子機器の組立が容易となる。更に、第１、第２の導電端子をともに回路基板に取り付ける構成としているので、回路基板に実装される電子部品との電気的な接続も容易に行えるため、このボタン電池保持構造を採用すれば、電子機器の組立てが容易に行える。
【００２４】
ここで、「ハウジング」は、電子部品が実装された回路基板を覆うハウジングであれば、どのようなものであってもよく、ハウジングが、カバー体とベースハウジングとにより構成される場合は、カバー体であってもよく、また、ベースハウジングであってもよい。このボタン電池保持構造では、ボタン電池保持構造の部材として、ハウジングを利用し、構成部材の数を少なくしているので、ボタン電池保持構造を簡単化できる。
【００２５】
また、ハウジングに、前記電池収容穴部に収容されるボタン電池を保持する構造を一体成形しているので、ボタン電池を固定するための蓋体を、敢えて、ハウジングと別体に設けなくても、電池収容穴部に収容されたボタン電池が抜け落ちない。
【００２６】
請求項２に記載のボタン電池保持構造は、請求項１に記載のボタン電池保持構造の、一組の電池収容穴部の各々に収容される合計２個のボタン電池を保持する構造が、一組の電池収容穴部の開口の各々に、弾性を有する係止爪を、前記ハウジングに一体に設けた構造となっている。このボタン電池保持構造では、一組の電池収容穴部の各々に収容される合計２個のボタン電池を保持する構造を、ハウジングに一体に設けた構造としたので、モールド等により、ハウジングと一体に一組の電池収容穴部の各々にボタン電池を保持する構造を形成できるので、製造が容易であり、且つ、一組の電電池収容穴部の各々に収容される合計２個のボタン電池を保持する構造を、弾性を有する係止爪としているので、係止爪の弾性力を利用して、一組の電池収容穴部の各々に収容される合計２個のボタン電池の各々を一組の電池収容穴部の各々に容易に保持できる。
【００２７】
請求項３に記載のボタン電池保持構造は、請求項１又は請求項２に記載のボタン電池保持構造の、一組の電池収容穴部の各々内に現れるようにした第１の導電端子が、一組の電池収容穴部の各々に収容された合計２個のボタン電池の第１の電極の双方に接触するように設けられたＶ字状の接触片を有している。このボタン電池保持構造では、第１の導電端子をＶ字状の接触片を有した形状とし、Ｖ字状の接触片がバネ性を持たせているので、２個のボタン電池の第１の電極の双方への電気的な接触を確保することができる。
【００２８】
請求項４に記載のボタン電池保持構造は、請求項３に記載のボタン電池保持構造の、第１の導電端子のＶ字状の接触片の半体片の各々が、一組の電池収容穴部の開口の各々に設けられた弾性を有する係止爪と対向配置され、一組の電池収容穴部に収容された２個のボタン電池を、一組の電池収容穴部の開口の各々に設けられた弾性を有する係止爪と第１の導電端子のＶ字状の接触片とにより挟持する構造とした。
【００２９】
このボタン電池保持構造では、ボタン電池を交換するときに、第１の導電端子のみを弾性変形させるのではなく、弾性を有する係止爪をも弾性変形させるようにしているので、ボタン電池を交換しても、第１の導電端子が金属疲労を起こしてへたってしまうといった事態が起き難く、弾性を有する係止爪の押しつぶし操作だけで、ボタン電池の交換ができるので、ボタン電池の交換が容易に行える。
【００３０】
更に、第２の導電端子を、一組の電池収容穴部に収容された２個のボタン電池の各々の第２の電極に接触する２つの接触片を設けた構造にし、第１の導電端子を、一組の電池収容穴部に収容された２個のボタン電池の第１の電極の双方に接触するように設けられたＶ字状の接触片を有した構造とし、２個のボタン電池を並列に接続して収容する際に、１個の第１の導電端子と、１個の第２の導電端子とを用いればよいので、ボタン電池保持構造の組立てが容易に行える。
【００３１】
請求項５に記載のボタン電池保持構造は、請求項３又は請求項４に記載のボタン電池保持構造の、第１の導電端子には、第１の導電端子のＶ字状の接触片が前記一組の電池収容穴部の開口の各々に設けられた弾性を有する係止爪と対向配置されるようにするための高さ調整をする軸体が設けられている。このボタン電池保持構造では、第１の導電端子には、第１の導電端子のＶ字状の接触片が一組の電池収容穴部の開口の各々に設けられた弾性を有する係止爪と対向配置されるようにするための高さ調整をする軸体を設けているので、ハウジングと回路基板との距離にかかわらず、第１の導電端子のＶ字状の接触片を一組の電池収容穴部の開口の各々に設けられた弾性を有する係止爪に対向する位置に配置できる。
【００３２】
請求項６に記載のボタン電池保持構造は、請求項２〜５のいずれかに記載のボタン電池保持構造の、一組の電池収容穴部の開口の各々に、弾性を有する係止爪を設けた側と反対側に、更に、脱落防止片を、一組の電池収容穴部の開口に突設するように設けた。このボタン電池保持構造では、更に、脱落防止片を、電池収容穴部の開口に突設するように設けたので、一組の電池収容穴部の各々に収容される２個のボタン電池の各々が、弾性を有する係止爪と第１の導電端子のＶ字状の接触片の半体片のとの挟持の他に、この脱落防止片によっても、電池収容穴部の開口から抜け落ちることが防止される。
【００３３】
請求項７に記載のボタン電池保持構造は、請求項６に記載のボタン電池保持構造の、脱落防止片は、電池収容穴部に形成した開口に面一になるように一体形成されている。このボタン電池保持構造では、脱落防止片が、一組の電池収容穴部の各々に形成した開口に面一になるように一体形成されているので、一組の電池収容穴部の各々の上面のスペースを有効利用できるとともに、ハウジングの上面の脱落防止片を設けた位置に、余分な段部や出張りがないので、見た目がスマートで美しい。
【００３４】
請求項８に記載のボタン電池保持構造は、請求項６又は請求項７に記載のボタン電池保持構造の、脱落防止片は、第１の導電端子のＶ字状の接触片の半体片を隠すように設けられている。このボタン電池保持構造では、第１の導電端子のＶ字状の接触片の半体片の各々を脱落防止片で隠すようにしているので、外観がスマートであり、且つ、第１の導電端子に、指の爪先（指先）その他何等かのものが接触し難い。
【００３５】
請求項９に記載のボタン電池保持構造は、請求項２〜８のいずれかに記載のボタン電池保持構造の、第２の導電端子が、一組の電池収容穴部の各々に収容される合計２個のボタン電池の第２の電極の各々に接触する２つの接触片を有している。このボタン電池保持構造では、第２の導電端子が、一組の電池収容穴部の各々に収容される合計２個のボタン電池の第２の電極の各々に接触する２つの接触片を設け、回路基板に第２の導電端子を一個取り付けるだけで、２個のボタン電池の第２の電極の各々に電気的な接触を確保できるようにしているので、構成を簡単化できるとともに、ボタン電池保持構造の組立てが容易となる。
【００３６】
請求項１０に記載のボタン電池保持構造は、請求項９に記載のボタン電池保持構造の、第２の導電端子の２つの接触片の各々が、バネ状にされている。より具体的に、第２の導電端子の２つの接触片を規定すると、第２の導電端子の２つの接触片は、一組の電池収容穴部の各々に対応して設けられ、回路基板の面に対して縦方向に弾性変形可能なバネ状にされている。このボタン電池保持構造では、第２の導電端子の２つの接触片の各々を、バネ状にしているので、第２の導電端子の２つの接触片の各々の復元力により、一組の電池収容穴部の各々に収容される２個のボタン電池の各々の一方の面の第２の電極と第２の導電端子２つの接触片の各々との、より確実な電気的な接触を確保できる。また、ボタン電池を取り出す際には、第２の導電端子の２つの接触片の復元力により、電池収容穴部から、ボタン電池が排出されるので、ボタン電池の交換が容易に行える。
【００３７】
請求項１１に記載のボタン電池保持構造は、請求項９又は請求項１０に記載のボタン電池保持構造の、第２の導電端子の２つの接触片の各々が、一組のボタン電池収容部の各々の、一組のボタン電池収容部が互いに近接する側に設けられている。このボタン電池保持構造では、２つの接触片の各々を、一組のボタン電池収容部の各々の、一組のボタン電池収容部が互いに近接する側に設けているので、第２の導電端子を小型化できる。
【００３８】
請求項１２に記載のボタン電池保持構造は、請求項２〜１１のいずれかに記載のボタン電池保持構造の、一組の電池収容穴部の各々の弾性を有する係止爪を設けた側と反対側の周部の各々に、一組の電池収容穴部の各々に、第１の導電端子のＶ字状の接触片の半体片の各々対応するように半体片取付孔を設け、且つ、一組の電池収容穴部の各々の底面の第１の導電端子の半体片取付孔の近傍位置に、第１の導電端子のＶ字状の接触片の半体片の各々が、前記一組の電池収容穴部の各々に対応して設けられる第２の導電端子の２つの接触片の各々に接触するのを防止するためのストッパーを、ハウジングと一体に設けた。
このボタン電池保持構造では、ストッパーにより、第１の導電端子のＶ字状の接触片の半体片の各々と第２の導電端子の２つの接触片の各々との接触が防止されるので、第１の導電端子と第２の導電端子とが短絡しない。
【００３９】
請求項１３に記載のボタン電池保持構造は、請求項２〜１２のいずれかに記載のボタン電池保持構造の、弾性を有する係止爪が、ハウジングの一端から電池収容穴部の開口に突出するように且つ回路基板方向にＵ字形状に設けられ、その終端部がハウジングの面と同じ方向を向くようにされた形状になっている。
このボタン電池保持構造では、弾性を有する係止爪を、ハウジングの一端から電池収容穴部の開口に突出するように且つ回路基板方向にＵ字形状に設け、その終端部がハウジングの面と同じ方向を向くようにした形状とし、係止爪を弾性変形させると、係止爪のＵ字形状をした部分の上側が押しつぶされた形状にすることができるようにしているので、これにより、電池収容穴部の間隔を広げることで、ボタン電池の交換を容易に行える。また、電池収容穴部に収容されたボタン電池の電池収容穴部の開口からの抜け落ちが、係止爪のハウジングの面と同じ方向を向くようにされた終端部の裏面によっても阻止されるので、電池収容穴部内にボタン電池をより安定して保持することができる。
【００４０】
請求項１４に記載のボタン電池保持構造は、請求項１２に記載のボタン電池保持構造の、弾性を有する係止爪に、更に、ハウジングの外方へ突出するように、操作突部を設けた。このボタン電池保持構造では、弾性を有する係止爪に、更に、ハウジングの外方へ突出するように、操作突部を設けたので、指の爪先（指先）等で、操作突部を押し操作しやすく、また、操作突部を指の爪先（指先）等で押し操作するだけで、係止爪のＵ字形状をした部分の上側が押しつぶされた形状にすることができるので、これにより、電池収容穴部の間隔を広げることで、ボタン電池の交換を容易に行える。
【００４１】
請求項１５に記載のボタン電池保持構造は、請求項１〜１４のいずれかに記載のボタン電池保持構造の、ハウジングが、ベースハウジングである。このボタン電池保持構造では、ボタン電池保持構造に、回路基板を収容するベースハウジングを利用しているので、電子機器を組み立てる工程、即ち、電子部品が実装された回路基板を、ベースハウジングとカバー体とで構成されるハウジング内に収容する組立工程で、同時に組立てられ、組立の手間がかからないという利点があるので、種々の電子機器、例えば、ワイヤレス送信器のボタン電池保持構造として、好適に用いることができる。
また、このボタン電池保持構造を採用した電子機器では、ボタン電池保持構造が、電子機器の裏面側に形成されるため、ボタン電池保持構造が、電子機器の操作スイッチ等が設けられるカバー体側に露呈しないため、外観がすっきりし、且つ、カバー体側を有効利用できる。
【００４２】
請求項１６に記載のワイヤレス送信器は、請求項１５に記載のボタン電池保持構造を備え、回路基板に電子部品を実装し、且つ、ベースハウジングの上面に、操作スイッチを有したカバー体を取り付けた。
ここで、「ワイヤレス送信器」は、用途面からは、例えば、病院、住宅等用のワイヤレスコールシステム用のワイヤレス送信器や、携帯電話や、種々の制御機器を制御するワイヤレスリモコン操作器等をその好適な例として挙げることができる。また、機能・構造面からは、ベースハウジングに取り付けるカバー体に、例えば、押釦操作部を形成したフィルムシートが貼着されたものや、押釦操作部を形成したプラスチックプレートが取り付けられたものを挙げることができる。
【００４３】
そのようなワイヤレス送信器としては、具体的には、押釦操作部を操作すると、ベースハウジングとカバー体とにより構成されるハウジング内に収容される回路基板に実装された電子部品がプリント配線されて構成される制御回路中に含まれるスイッチ素子がオン・オフし、赤外線や超音波等の制御信号をワイヤレス送信器が制御する機器に発信できるようにされたもの等を挙げることができる。
このワイヤレス送信器では、ボタン電池保持構造に、回路基板を収容するベースハウジングを利用しているので、このボタン電池保持構造を採用した電子機器では、ボタン電池保持構造が、電子機器の裏面側に形成されるため、ボタン電池保持構造が、電子機器の操作スイッチ等が設けられるカバー体側に露呈しないため、外観がすっきりし、且つ、カバー体側を有効利用できる。
【００４４】
また、通常の電子機器では、ハウジング内に収容されている回路基板には、カバー体に対向する側の表面に電子機器を制御する電子部品が実装され、ベースハウジングに対向する側の表面には、電子機器を制御する電子部品があまり実装されていない場合が多い。したがって、ボタン電池保持構造に、ベースハウジングを利用すれば、回路基板のベースハウジングに対向する表面に、第１、第２の導電端子を取り付ける構造となるので、回路基板の有効利用、及び、ベースハウジングと回路基板との間に形成される空間の有効利用を図ることができる。
【発明の実施の形態】
【００４５】
以下、本発明について、図面を参照しながら、更に、詳しく説明する。図１は、本発明に係るボタン電池保持構造の一例を概略的に示す分解斜視図であり、また、図２は、図１に示すボタン電池保持構造の構成を概略的に示す構成図であり、図２（ａ）は、図１に示すボタン電池保持構造をベースハウジングの外側から見た平面図を、図２（ｂ）は、図２（ａ）中に示すＩ−Ｉ線に従う概略的な縦断面図を、図２（ｃ）は、図２（ａ）中に示すＩＩ−ＩＩ線に従う概略的な横断面図を、また、図２（ｄ）は、図２（ａ）中に示すＩＩＩ−ＩＩＩ線に従う概略的な横断面図を、各々、示している。
【００４６】
また、図３は、本発明に係るボタン電池保持構造の一例を、回路基板と、回路基板に取り付けられる第１の導電端子と第２の導電端子とを中心に示す、概略的な平面図である。このボタン電池保持構造１は、２個のボタン電池Ｂ、Ｂを並列に接続して収容保持するボタン電池保持構造を示しており、電子機器の電子回路部品が実装された回路基板２０と、回路基板２０を覆うハウジング（図示せず）のベースハウジング３と、回路基板２０に取り付けられる、第１の導電端子４と第２の導電端子５とを備える。
【００４７】
ベースハウジング３は、樹脂等の絶縁性部材で製されており、ベースハウジング３には、２個のボタン電池Ｂ、Ｂの各々を出し入れする開口３ａを、各々に形成した一組の電池収容穴部３１、３１が並設するように、ベースハウジング３に一体成形されており、一組の電池収容穴部３１、３１の開口３ａ、３ａの各々には、弾性を有する係止爪３２、３２が、ベースハウジング３に一体に設けられている。
【００４８】
また、この例では、ベースハウジング３の一組の電池収容穴部３１、３１の各々には、底板３４、３４の各々と、一組の電池収容穴部３１、３１の各々に収容されるボタン電池Ｂ、Ｂの各々の高さｈＢよりやや広い高さｈ３５を有し且つボタン電池Ｂ、Ｂの側周面と同じ形状に且つやや大きく形成され、平面視した場合には、概ね円形状に見える、周壁３５、３５とが、ベースハウジング３に一体に設けられている。
【００４９】
一組の電池収容穴部３１、３１の各々の底板３４、３４の各々の所定の位置には、後述する、第２の導電端子５の２つの接触片５ｂ、５ｂの各々を挿通するために、且つ、底板３４、３４の各々を貫通するように設けられた接触片挿通孔３４ａ、３４ａが設けられ、また、弾性を有する係止爪３２、３２の各々の下部を収容するために、且つ、底板３４、３４の各々を貫通するように設けられた係止爪収容孔３４ｂ、３４ｂが設けられている。
【００５０】
また、この例では、一組の電池収容穴部３１、３１の各々の弾性を有する係止爪３２、３２が設けられた側と反対側に、更に、脱落防止片３３、３３を、一組の電池収容穴部３１、３１の開口３ａ、３ａの各々に突設するように設けている。 この例では、この脱落防止片３３、３３は、開口３ａ、３ａの各々に面一になるように、ベースハウジング３に一体成形されている。
【００５１】
より詳しく説明すると、この例では、脱落防止片３３、３３の各々は、一組の電池収容穴部３１、３１の各々の弾性を有する係止爪３２、３２が設けられた側と反対側に、併設された一組の電池収容穴部３１、３１の開口３ａ、３ａの互いに遠い側に、且つ開口３ａ、３ａの各々に面一になるように一体形成されている。
【００５２】
更に、この例では、一組の電池収容穴部３１、３１の各々は、図４（ａ）及び図４（ｂ）に示すように、その周部３５、３５の各々には、後述する、第１の導電端子４のＶ字状の接触片４ｂの半体片４ｂ１、４ｂ１の各々を取り付けるために設けられ且つ周部を貫通するように設けられた半体片取付孔３５ａ、３５ａが設けられている。
【００５３】
そして、周部３５、３５の各々の高さｈ３５は、第１の導電端子４のＶ字状の接触片４ｂの半体片４ｂ１、４ｂ１の各々の幅Ｗ４ｂ１に比べやや狭い高さにされている。更に、この例では、周部３５、３５の各々に設けられた半体片取付孔３５、３５の各々の近傍位置の、Ｖ字状の接触片４ｂの半体片４ｂ１、４ｂ１の各々を取り付ける位置において、底面３４、３４の各々の脱落防止片３３、３３の各々に対向する側の表面は、その一部が切り欠かれた形状となっている。且つまた、周部３５、３５の各々に設けられた半体片取付孔３５ａ、３５ａの各々の近傍位置の、Ｖ字状の接触片４ｂの半体片４ｂ１、４ｂ１の各々を取り付ける位置において、脱落防止片３３、３３の各々も、その底面３４、３４の各々に対向する側の表面の一部が切り欠かれた形状になっている。
【００５４】
そして、Ｖ字状の接触片４ｂの半体片４ｂ１、４ｂ１の各々を取り付ける位置で、底面３４、３４の各々の脱落防止片３３、３３の各々に対向する側の切り欠かれた形状の領域の表面Ｓ’３４、Ｓ’３４の各々と、脱落防止片３３、３３の各々の底面３４、３４の各々に対向する側の切り欠かれた形状の領域の表面Ｓ’３３、Ｓ’３３との間の間隔Ｗが、丁度、第１の導電端子４のＶ字状の接触片４ｂの半体片４ｂ１、４ｂ１の各々の幅Ｗ４ｂ１と等しくされている（Ｗ＝Ｗ４ｂ１）。これにより、第１の導電端子４のＶ字状の接触片４ｂの半体片４ｂ１、４ｂ１の各々を、半体片取付孔３５ａ、３５ａの各々に取り付けると、半体片４ｂ１、４ｂ１の各々が、半体片取付孔３５ａ、３５ａの各々に嵌合するとともに、底面３４、３４の各々の脱落防止片３３、３３の各々に対向する側の表面Ｓ’３４、Ｓ’３４の各々と、底面３４、３４の各々の脱落防止片３３、３３の各々に対向する側の切り欠かれた形状の領域の表面Ｓ’３４、Ｓ’３４とにより形成される段差部Ｄ１、Ｄ１と、脱落防止片３３、３３の各々の底面３４、３４の各々に対向する表面Ｓ３３、Ｓ３３の各々と脱落防止片３３、３３の各々の底面３４、３４の各々に対向する側の切り欠かれた形状の領域の表面Ｓ’３３、Ｓ’３３とにより形成される段差部Ｄ２、Ｄ２とが、ストッパーとなって、第１の導電端子４のＶ字状の接触片４ｂの半体片４ｂ１、４ｂ１の各々と第２の導電端子５の２つの接触片５ｂ、５ｂの各々との接触が防止されるようにしてある。
【００５５】
また、図４より明らかなように、このボタン電池保持構造１では、第１の導電端子４のＶ字状の接触片４ｂの半体片４ｂ１、４ｂ１の各々を、脱落防止片３３、３３の各々で隠すようにし、第１の導電端子に、指の爪先（指先）その他何等かのものが接触し難いようにしてある。また、弾性を有する係止爪３２、３２の各々は、図２（ｂ）及び図５（ａ）に示すように、ベースハウジング３の一端から電池収容穴部３１の開口３ａに突出するように且つ回路基板２０方向に折れ曲がり、その後、ベースハウジング３方向に折れ曲がるＵ字形状に設けられ、その終端部３２ａがベースハウジング３の面と同じ方向を向くようにされている。
【００５６】
且つ、この弾性を有する係止爪３２、３２の各々には、Ｕ字形状の終端部３２ａ側には、ベースハウジング３の外方へ突出するように設けられた操作突部３２ｂ、３２ｂが設けられている。そして、この例では、弾性を有する係止爪３２、３２の各々の操作突部３２ｂ、３２ｂの各々を、図５（ｂ）に示すように、指の爪先（指先）等で押し操作し、係止爪３２、３２の各々のＵ字形状の上部を押しつぶすようにすると、係止爪３２、３２の各々のＵ字形状の上部が弾性変形して縮む。この状態で、ボタン電池Ｂの直径の小さい一方の面Ｂａが、電池収容穴部３１の底面３４方向を向くようにしている場合には、図６（ｂ）の右側の電池収容穴部３１に示すように、弾性変形して縮んだ係止爪３２と脱落防止片３３の先端との間の間隔が、ボタン電池Ｂを、その一方の面Ｂａが電池収容穴部３１の底板３４方向を向くようにして、電池収容穴部３１に取り付けるようにすると、ボタン電池Ｂの直径より若干大きめの間隔になるようにしてあるので、弾性変形して縮んだ係止爪３２と脱落防止片３３の先端との間の間隔が、ボタン電池Ｂの直径より若干大きめの間隔になった時に、操作突部３２ｂから指の爪先（指先）等を離すと、弾性を有する係止爪３２の復元力により、図６（ａ）の左側の電池収容穴部３１に示すように、ボタン電池Ｂが電池収容穴部３１内に収容されるようにしてある。
【００５７】
他方、誤って、ボタン電池Ｂを、その他方の面Ｂｂが電池収容穴部３１の底板３４方向を向くようにして、電池収容穴部３１に取り付けるようにすると、図５（ｂ）に示すように、指の爪先（指先）等で押し操作し、係止爪３２、３２の各々のＵ字形状の上部を押しつぶすようにしても、弾性変形して縮んだ係止爪３２と脱落防止片３３の先端との間の間隔が、ボタン電池Ｂの直径の大きい他方の面Ｂａが、電池収容穴部３１の底板３４方向を向いている場合には、ボタン電池Ｂの直径より若干小さめの間隔になるようにし、ボタン電池Ｂが電池収容穴部３１内に収容されないようにしてある。
【００５８】
尚、図１及び図２中、３ｂは、ベースハウジング３をカバー体（図示せず。）に取り付ける際に用いる、ボルトやネジ等の取付孔を、３ｃは、ベースハウジング３を、テーブル等に安定して載置するためのリブ体を、また、３ｄは、電池収容穴部３１、３１に収容されるボタン電池Ｂ、Ｂに、手や、その他の器具が接触するのを防ぐために設けられたリブ体を示している。
【００５９】
第２の導電端子５は、ベースハウジング３に設けられた一組の電池収容穴部３１、３１の各々に収容されるボタン電池Ｂ、Ｂの各々の一方の面Ｂａ、Ｂａの第２の電極（負極）の各々に電気的な接触を確保するためのものであって、回路基板２０の一組の電池収容穴部３１、３１の間の位置に、直接、取り付けられるようになっている。
【００６０】
また、この例では、第２の導電端子５は、金属で製されており、平面視した場合、コ字形状の台座５ａと、台座５ａの上面に一体に形成され、一組の電池収容穴部３１、３１に収容された２個のボタン電池Ｂ、Ｂの各々の一方の面Ｂａ、Ｂａの第２の電極（負極）に接触する２つの接触片５ｂ、５ｂとを備える。そして、２つの接触片５ｂ、５ｂの各々は、台座５ａの上面の起端部から連続して、ベースハウジング３方向へ傾斜して、その後、回路基板２０方向へ折れ曲がり、その終端部が台座５ａと遊離した、略ヘの字形状を有し、ベースハウジング３方向及び回路基板２０方向へ弾性変形が可能なバネ状にされている。
【００６１】
そして、この例では、一組の電池収容穴部３１、３１の各々に設けた底板３４、３４の各々の接触片挿通孔３４ａ、３４ａの各々から、第２の導電端子５の２つの接触片５ｂ、５ｂの各々が突出しており、第２の導電端子５の２つの接触片５ｂ、５ｂの各々が、一組の電池収容穴部３１、３１の各々に収容される２個のボタン電池Ｂ、Ｂの一方の面Ｂａ、Ｂａの第２の電極（負極）の各々に電気的な接触を確保できるようにされている。
【００６２】
尚、この台座５ａは、第２の導電端子５のバネ状にされた２つの接触片５ｂ、５ｂの各々を、一組の電池収容部３１、３１の各々に収容されたボタン電池Ｂ、Ｂの各々の一方の面Ｂａ、Ｂａの第２の電極（負極）の各々に、その復元力により、確実に、電気的な接触を確保できる高さに調整するために設けられる部材である。
【００６３】
また、台座５ａの下部には、３本の突起５ｃ、５ｃ、５ｃが形成されている。第１の導電端子４は、ベースハウジング３に設けられた一組の電池収容穴部３１、３１の各々に収容されるボタン電池Ｂ、Ｂの各々の側周面Ｂｃ、Ｂｃの第１の電極（正極）の各々に電気的な接触を確保するためのものであって、回路基板２０の一組の電池収容穴部３１、３１の間の位置に、直接、取り付けられるようになっている。
【００６４】
この例では、第１の導電端子４は、金属で製されており、一組の電池収容穴部３１、３１に収容された２個のボタン電池Ｂ、Ｂの各々の側周面Ｂｃ、Ｂｃの第１の電極（正極）の各々に接触するように設けられたＶ字状の接触片４ｂを有した形状となっている。第１の導電端子４は、軸体４ａと、軸体４ａの上部に軸体４ａと一体に形成され、一組の電池収容穴部３１、３１の双方にまたがるように設けられたＶ字状の接触片４ｂとを備える。
【００６５】
より詳しく説明すると、Ｖ字状の接触片４ｂの一対の半体片４ｂ１、４ｂ１の各々が、一組の電池収容穴部３１、３１の各々に対応するように設けられている。尚、この軸体４ａは、第１の導電端子４のＶ字状の接触片４ｂの一対の半体片４ｂ１、４ｂ１の各々が、一組の電池収容穴部３１の開口の各々に設けられた弾性を有する係止爪３２、３２の各々と対向配置されるように高さを調整をするための部材である。
【００６６】
また、Ｖ字状の接触片４ｂは、一組の電池収容穴部３１、３１の開口３ａ、３ａの各々に設けられた弾性を有する係止爪３１、３１の各々と対向配置され、一組の電池収容穴部３１、３１の各々に収容される２個のボタン電池Ｂ、Ｂの双方を、弾性を有する係止爪３１、３１と第１の導電端子４のＶ字状の接触片４ｂとにより挟持できるようになっている。
【００６７】
より詳しく説明すると、この例では、電池収容穴部３１に収容されるボタン電池Ｂは、第１の導電端子４のＶ字状の接触片４ｂの半体片４ｂ１と弾性を有する係止爪３１とによって挟まれ、Ｖ字状の接触片４ｂの頂点方向へ移動し、電池収容穴部３１の周壁３５に当接した状態で、電池収容穴部３１に第１の導電端子４のＶ字状の接触片４ｂの半体片４ｂ１と弾性を有する係止爪３１とによって挟持されるようになっている。
【００６８】
更にまた、この例では、第１の導電端子４のＶ字状の接触片４ｂの半体片４ｂ１、４ｂ１の各々は、その頂角（図１及び図３に示すＶ字状の接触片４ｂの頂角α）を開閉するように弾性変形するので、電池収容穴部３１に収容されたボタン電池Ｂの側周面Ｂｃの第１の電極（正極）と第１の導電端子４のＶ字状の接触片４ｂとの電気的な接触が、弾性を有する係止爪３２に復元力と弾性を有する第１の導電端子４のＶ字状の接触片４ｂの半体片４ｂ１の復元力との協働によりなされるので、ボタン電池Ｂの側周面Ｂｃの第１の電極（正極）と第１の導電端子４のＶ字状の接触片４ｂとの電気的な接触が、より確実に行われるようになっている。
【００６９】
より詳しく説明すると、この例では、第１の導電端子４のＶ字状の接触片４ｂは、一組の電池収容穴部３１、３１の各々に、ボタン電池Ｂ、Ｂが収容され、Ｖ字状の接触片４ｂが、ボタン電池Ｂ、Ｂの各々の側周面Ｂｃ、Ｂｃに、物理的、電気的に接触した際に、Ｖ字状の接触片４ｂの頂角αが、一組の電池収容穴部３１、３１の各々に、ボタン電池Ｂ、Ｂが収容されていない時に比べ、やや広がるように調整されており、一組の電池収容穴部３１、３１の各々に、ボタン電池Ｂ、Ｂが収容された際には、Ｖ字状の接触片４ｂが、その頂角を、一の電池収容穴部３１、３１の各々に、ボタン電池Ｂ、Ｂが収容されていない時の状態に戻ろうとする復元力が発生するようにしてある。
【００７０】
更に、軸体４ａの下部には、３本の突起４ｃ、４ｃ、４ｃが形成されている。また、回路基板２０の所定の位置には、回路基板２０に第１の導電端子４を取り付けるために、第１の導電端子４の３本の突起４ｃ、４ｃ、４ｃに対応するように、３個の取付孔２０ａ、２０ａ、２０ａと、回路基板２０に第２の導電端子５を取り付けるために、第２の導電端子５の３本の突起５ｃ、５ｃ、５ｃに対応するように、３個のスリット状の取付孔２０ｂ、２０ｂ、２０ｂとが形成されている。
【００７１】
このボタン電池保持構造１を組み立てる際には、まず、第１の導電端子４の３本の突起４ｃ、４ｃ、４ｃの各々を回路基板２０に設けられた３個の取付孔２０ａ、２０ａ、２０ａの各々に入れ、また、第２の導電端子５の３本の突起５ｃ、５ｃ、５ｃの各々を回路基板２０に設けられた３個のスリット状の取付孔２０ｂ、２０ｂ、２０ｂの各々に入れるとともに、半田付け等の手段を用いて、回路基板２０のプリント配線に、第１の導電端子４及び第２の導電端子５を物理的、電気的に取り付ける。
【００７２】
次いで、通常の電子機器を組み立てる方法に従って、回路基板２０を、ベースハウジング３とカバー体（図示せず）とにより構成されるハウジングで覆うだけで、第１の導電端子４と第２の導電端子５とが、一組に電池収容穴部３１、３１の各々内に現れ、ボタン電池保持構造１が組み立てられる。そして、ボタン電池Ｂ、Ｂをボタン電池保持構造１の電池収容穴部３１、３１の各々に収容する際には、図６（ａ）の右側の電池収容穴部３１に収容さるボタン電池Ｂの収容状態及び図６（ｂ）に示すように、電池収容穴部３１の開口３ａから、ボタン電池Ｂを、ボタン電池Ｂの一方の面Ｂａが、電池収容穴部３１の底面３４方向を向くようにして、電池収容穴部３１の脱落防止片３３が設けられた側に斜めに差し込むとともに、弾性を有する係止爪３２の操作突部３２ｂを指の爪先（指先）で、係止爪３２のＵ字形状をした部分の上側が押しつぶされるように押圧する。すると、この状態では、直径の小さい一方の面Ｂａが、電池収容穴部３１の底面３４方向を向くようにされていて、弾性変形して縮んだ係止爪３２と脱落防止片３３の先端との間の間隔が、ボタン電池Ｂの直径より若干大きめの間隔になるようにしてあるので、ボタン電池Ｂの角部（図５（ａ）に示すボタン電池Ｂの角部Ｂｄ）が、係止爪３２のＵ字形状をした部分の後段部の外壁と終端部の裏面とにより形成される角部（図５（ａ）に示す係止爪３２の角部３２ｃ）に嵌合した時点で、操作突部３２ｂから指の爪先（指先）を離すと、係止爪３２の復元力により、ボタン電池Ｂの角部Ｂｄが、係止爪３２のＵ字形状をした部分の後段部の外壁と終端部３２ａの裏面とにより形成される角部３２ｃとの嵌合状態を維持した状態で、第２の導電端子５の接触片５ｂの弾力に抗して降下し、且つ、ボタン電池Ｂが、脱落防止片３３より降下した時に、弾性を有する係止爪３２の復元力により、ボタン電池Ｂが、第１の導電端子４のＶ字状の接触片４ａに押し付けられ、ボタン電池Ｂが、弾性を有する係止爪３２と第１の導電端子４のＶ字状の接触片４ａとにより挟持され、ボタン電池Ｂが物理的に電池収容穴部３１内に安定して保持され、これと同時に、ボタン電池Ｂの側周面Ｂｃの第１の電極（正極）と、第１の導電端子４との安定した電気的な接触が確保される（図６（ａ）の左側の電池収容穴部３１に収容されているボタン電池Ｂの状態及び図６（ｃ）を参照）。
【００７３】
且つ、第２の導電端子５のバネ状の接触片５ｂ、５ｂの復元力により、ボタン電池Ｂが、脱落防止片３３及び係止爪３２の終端部の裏面と、第２の導電端子５のバネ状の接触片５ｂとにより挟持され、ボタン電池Ｂが物理的に電池収容穴部３１内に安定して保持され、これと同時に、ボタン電池Ｂの一方の面Ｂａの第２の電極（負極）と、第２の導電端子５との安定した電気的な接触が確保される。
【００７４】
また、ボタン電池保持構造１の電池収容穴部３１内に収容されたボタン電池Ｂを取り出す際には、上記と逆の手順に従って、まず、弾性を有する係止爪３２の操作突部３２ｂを指の爪先（指先）で、係止爪３２のＵ字形状をした部分の上側が押しつぶされるように押圧し、ボタン電池Ｂの角部Ｂｄと、係止爪３２のＵ字形状をした部分の後段部の外壁と終端部の裏面とにより形成される角部３２ｃとの嵌合を解除すると、第２の導電端子５の弾性を有する接触片５ｂの復元力により、ボタン電池Ｂが、電池収容穴部３１外へと勝手に排出されてくるので、電池収容穴部３１外へ排出されてきたボタン電池Ｂを指先で掴んで取り出すようにする。
【００７５】
このボタン電池保持構造１では、電池収容穴部３１内に収容されるボタン電池Ｂは、弾性を有する係止爪３２と第１の導電端子４のＶ字状の接触片４ａとの挟持と、脱落防止片３３及び係止爪３２の終端部の裏面と、第２の導電端子５のバネ状の接触片５ｂとの挟持とにより、電池収容穴部３１内にしっかりと保持されるので、ボタン電池Ｂを固定するための蓋体を設ける必要が無い。
【００７６】
また、電子回路部品が実装された回路基板２０を覆うハウジングのベースハウジング３を、ボタン電池保持構造１として利用しているので、従来のボタン電池保持構造２０１では必須の構成部材であった専用のホルダー本体２１１が不要となるため、ボタン電池保持構造１の構成を簡単化できる。また、回路基板２０をハウジング３に収容する工程で、ボタン電池保持構造１が組み立てられるので、このボタン電池保持構造１を採用すれば、電子機器の組立が容易となる。
【００７７】
また、このボタン電池保持構造１では、弾性を有する係止爪３２の押しつぶし操作だけで、ボタン電池Ｂの交換ができるので、ボタン電池Ｂの交換が容易に行えるという効果もある。且つ、ボタン電池Ｂを交換するときに、第１の導電端子４のみを弾性変形させるのではなく、弾性を有する係止爪３２をも弾性変形させるようにしているので、ボタン電池Ｂを交換しても、第１の導電端子４が金属疲労を起こしてへたってしまうといった事態が起き難い。
【００７８】
したがって、このボタン電池保持構造１は、ボタン電池Ｂを交換する度に、第１の導電端子２０４に、ボタン電池Ｂを押しつけるようにされている、ボタン電池保持構造２０１に比べ、耐久性が優れている。更にまた、弾性を有する係止爪３２等の構成部材は、いずれも、モールド等により簡単にベースハウジング３に一体成形できるので、鋳型さえ作れば、後は、同じ形状のベースハウジング３を大量生産できるため、ボタン電池保持構造１を製造する際に発生する製造コストを低く抑えることができる。
【００７９】
また、第１の導電端子４及び第２の導電端子５をともに、電子回路部品が実装される回路基板２０に直接取り付けるだけでよい構成とし、回路基板２０に実装される電子部品との電気的な接続も容易に行えるようにしているため、このボタン電池保持構造１を採用すれば、電子機器の組立てが容易に行える。また、電池収容穴部３１の開口３ａに、弾性を有する係止爪３２を設けた側と反対側に、更に、脱落防止片３３を、電池収容穴部３１の開口３ａに突設するように設けたので、電池収容穴部３１に収容されるボタン電池Ｂが、弾性を有する係止爪３２と第１の導電端子４との挟持の他に、脱落防止片３３によっても、電池収容穴部３１の開口３ａから抜け落ちることが防止される。これにより、電池収容穴部３１内にボタン電池Ｂを安定して保持することができる。
【００８０】
また、第２の導電端子５を、ベースハウジング３方向及び回路基板２０方向へ弾性変形が可能なバネ状にしているので、第２の導電端子５の復元力により、ボタン電池Ｂの一方の面Ｂａの第２の電極（負極）と第２の導電端子５とのより確実な電気的な接触を確保できる。また、脱落防止片３３を、電池収容穴部３１に形成した開口３ａに面一になるように一体形成したので、電池収容穴部３１の上面のスペースを有効利用できるとともに、ベースハウジング３の上面の脱落防止片３３を設けた位置に、余分な段部や出張りがないので、見た目がスマートで美しい。
【００８１】
また、弾性を有する係止爪３２を、ベースハウジング３の一端から電池収容穴部３１の開口３ａに突出するように且つ回路基板２０方向にＵ字形状に設け、その終端部３２ａがベースハウジング３の面と同じ方向を向くようにし、且つ、係止爪３２のＵ字形状にされた部分のベースハウジング３の面と同じ方向を向くようにされた終端部３２ａ側に、ベースハウジング３の外方へ突出するように設けられた操作突部３２ｂを有する形状としたので、操作突部３２ｂを指の爪先（指先）で押し操作がしやすい。また、操作突部３２ｂを指の爪先（指先）で押し操作するだけで、係止爪３２のＵ字形状をした部分の上側が押しつぶされるようにすることができるので、ボタン電池Ｂの交換を容易に行える。
【００８２】
また、電池収容穴部３１に収容されたボタン電池Ｂの電池収容穴部３１の開口３ａからの抜け落ちが、係止爪３２の終端部３２ａの裏面によっても阻止されるので、電池収容穴部３１内にボタン電池Ｂをより安定して保持することができる。且つ、この例では、１個の第１の導電端子４と、１個の第２の導電端子５とを用いて、２個のボタン電池Ｂ、Ｂを並列に接続してボタン電池保持構造１に保持できるようにしているので、２個のボタン電池Ｂ、Ｂを並列に接続して収容する際に、２個の第１の導電端子２０４と、２個の第２の導電端子２０５とを必要とする、従来のボタン電池保持構造２０１に比べ、構造を簡単化でき、且つ、これにより、ボタン電池保持構造の組立てが容易となるという効果もある。
【００８３】
更に、この例では、第１の導電端子４のＶ字状の接触片４ｂの半体片４ｂ１、４ｂ１の各々を脱落防止片３３、３３で隠すようにしているので、第１の導電端子４に、指の爪先（指先）や、その他何等かのものが接触し難い。これにより、第１の導電端子４が劣化するのが防止される。また、第２の導電端子５のバネ状の接触片５ｂ、５ｂの各々を、図３に示すように、一組の電池収容部３１、３１の各々に、一組の電池収容部３１、３１の各々が互いに近接する位置に設けるようにしているので、第２の導電端子５を小さくできるという効果や、第２の導電端子５の電気的な抵抗を小さくできるという効果もある。
【００８４】
更に、脱落防止片３３、３３の各々は、一組の電池収容穴部３１、３１の各々の弾性を有する係止爪３２、３２が設けられた側と反対側に、併設された一組の電池収容穴部３１、３１の開口３ａ、３ａの互いに遠い側にのみ形成し、第２の導電端子５のバネ状の接触片５ｂ、５ｂの各々と同じ側には、脱落防止片３３、３３の各々を設けていないので、弾性を有する係止片３２、３２の各々を押しつぶして、弾性を有する係止片３２、３２の終端部３２ａ、３２ａの各々とボタン電池Ｂ、Ｂの各々との嵌合を解除すれば、第２の導電端子５のバネ状の接触片５ｂ、５ｂの各々の復元力、並びに、第２の導電端子５のＶ字状の接触片の復元力によって、一組の電池収容部３１、３１の各々に収容されているボタン電池Ｂ、Ｂが、電池収容部３１、３１の各々の脱落防止片３３、３３が設けられていない部分から、勝手に排出されるので、ボタン電池Ｂ、Ｂの交換が容易に行えるという効果もある。
【００８５】
更に、脱落防止片３３、３３の各々は、一組の電池収容穴部３１、３１の各々の弾性を有する係止爪３２、３２が設けられた側と反対側に、併設された一組の電池収容穴部３１、３１の開口３ａ、３ａの互いに遠い側にのみ形成し、電池収容穴部３１、３１の各々にボタン電池Ｂ、Ｂの各々を収容する際に、脱落防止片３３、３３の設けられていない部分から、ボタン電池Ｂ、Ｂの各々を電池収容穴部３１、３１の各々に収容するようにすれば、電池収容穴部３１、３１の各々にボタン電池Ｂ、Ｂの各々を収容しやすい構成にしているので、これにより、２個のボタン電池Ｂ、Ｂが、第１の導電端子４のＶ字状の接触片の内側に必ず位置するように収容される。
【００８６】
また、第１の導電端子４には、第１の導電端子４のＶ字状の接触片４ｂの半体片４ｂ１、４ｂ１の各々が、一組の電池収容穴部３１、３１の開口３ａ、３ａの各々に設けられた弾性を有する係止爪３２、３２の各々と対向配置されるようにするための高さ調整をする軸体４ａを設けているので、ベースハウジング３と回路基板２０との距離にかかわらず、第１の導電端子４のＶ字状の接触片４ｂの半体片４ｂ１、４ｂ１の各々を、一組の電池収容穴部３１、３１の開口３ａ、３ａの各々に設けられた弾性を有する係止爪３２、３２の各々に対向する位置に配置できる。
【００８７】
また、この例では、ボタン電池Ｂの一方の面Ｂａが、電池収容穴部３１の底面３４方向を向いている場合にのみ、ボタン電池Ｂが、電池収容穴部３１に収容されるようにしているので、ボタン電池Ｂを、誤って、第１の電極（正極）と第２の電極（負極）とを逆にして、電池収容穴部３１に入れてしまうということがない。
【００８８】
更にまた、このボタン電池保持構造１では、ボタン電池保持構造１に、回路基板２０を収容するベースハウジング３を利用しているので、このボタン電池保持構造１を採用した電子機器では、ボタン電池保持構造１が、電子機器の裏面側に形成されることになる。このため、ボタン電池保持構造１が、電子機器の操作スイッチ等が設けられるカバー体（図示せず。）側に露呈しないため、外観がすっきりし、且つ、カバー体側を有効利用できる。
【００８９】
更に、このボタン電池保持構造１は、種々の電子機器を組み立てる際、即ち、電子部品が実装された回路基板２０を、ベースハウジング３とカバー体（図示せず。）とで構成されるハウジング内に収容する組立工程で、同時に組立てられるため、組立の手間がかからないという利点があるので、種々の電子機器、例えば、ワイヤレス送信器のボタン電池保持構造として、好適に用いることができる。
【００９０】
このようなワイヤレス送信器としては、用途面からは、例えば、病院、住宅等用のワイヤレスコールシステム用のワイヤレス送信器や、携帯電話や、種々の制御機器を制御するワイヤレスリモコン操作器等をその好適な例として挙げることができる。また、機能・構造面からは、ベースハウジングに取り付けるカバー体に、例えば、押釦操作部を形成したフィルムシートが貼着されたものや、押釦操作部を形成したプラスチックプレートが取り付けられたものを挙げることができる。このようなワイヤレス送信器としては、例えば、押釦操作部を操作すると、ベースハウジングとカバー体とにより構成されるハウジング内に収容される回路基板に実装された電子部品がプリント配線されて構成される制御回路中に含まれるスイッチ素子がオン・オフし、赤外線や超音波等の制御信号をワイヤレス送信器が制御する機器に発信できるようにされたもの等を挙げることができる。
【００９１】
尚、この発明の実施の形態では、２個のボタン電池Ｂ、Ｂを並列に接続して収容保持するボタン電池保持構造１について説明したが、これは、単に、本発明を説明するために用いたものであって、本発明を、２個のボタン電池Ｂ、Ｂを並列に接続して収容保持するボタン電池保持構造に限定するものではない。本発明は、１個のボタン電池Ｂ、Ｂを並列に接続して収容保持するボタン電池保持構造であってもよく、この場合、ボタン電池保持構造は、弾性を有する係止爪と第１の導電端子とを対向させて配置することによって、電池収容穴部に収容されたボタン電池が弾性を有する係止爪と第１の導電端子とにより挟持する構造となっていれば良いことは言うまでもない。また、この場合の第１の導電端子は、電池収容穴部の弾性を有する係止爪の設けられた側の反対側に設けられておればよく、Ｖ字状の接触片を有している必要はなく、第１の導電端子は、板状であっても、また、ボタン電池Ｂの側周面の形状にあうように彎曲していてもよい。また、第２の導電端子５の形状も、ベースハウジング３方向及び回路基板２０方向へ弾性変形が可能なバネ状にされていれば良く、板バネ形状等の種々の形状とすることができる。
【００９２】
また、この発明の実施の形態では、電池収容穴部３１が底板３４を有する例について説明したが、これは、単に、好ましい例を示したに過ぎず、電池収容穴部３１は、ベースハウジング３を貫通するように設けられていてもよい。また、この発明の実施の形態では、ベースハウジング３を利用したボタン電池保持構造１について説明したが、これについても、単に、好ましい例を示したに過ぎず、本発明に係るボタン電池保持構造は、カバー体を利用したボタン電池保持構造であってもよい。
【００９３】
更に、図１に示す、凹部Ｅに、凹部Ｅを覆う蓋体（図示せず。）を設けるようにしてもよいことは、言うまでもない。
【発明の効果】
【００９４】
以上、詳細に説明したように、請求項１に記載のボタン電池保持構造では、ボタン電池保持構造の部材として、ハウジングを利用し、構成部材の数を少なくしているので、簡単な構造で、２個のボタン電池を一組の電池収容穴部の各々に保持できる。
【００９５】
また、回路基板をハウジングに収容する工程で、ボタン電池保持構造が組み立てられるので、このボタン電池保持構造を採用すれば、電子機器の組立が容易となる。更に、第１、第２の導電端子をともに回路基板に取り付ける構成としているので、回路基板に実装される電子部品との電気的な接続も容易に行えるため、このボタン電池保持構造を採用すれば、電子機器の組立てが容易に行える。
【００９６】
請求項２に記載のボタン電池保持構造では、一組の電池収容穴部の各々に収容される合計２個のボタン電池を保持する構造を、ハウジングに一体に設けた構造としたので、モールド等により、ハウジングと一体に一組の電池収容穴部の各々にボタン電池を保持する構造を形成できるので、製造が容易であり、且つ、一組の電電池収容穴部の各々に収容される合計２個のボタン電池を保持する構造を、弾性を有する係止爪としているので、係止爪の弾性力を利用して、一組の電池収容穴部の各々に収容される合計２個のボタン電池の各々を一組の電池収容穴部の各々に容易に保持できる。
【００９７】
請求項３に記載のボタン電池保持構造では、第１の導電端子をＶ字状の接触片を有した形状とし、Ｖ字状の接触片がバネ性を持たせているので、２個のボタン電池の第１の電極の双方への電気的な接触を確保することができる。
【００９８】
請求項４に記載のボタン電池保持構造では、ボタン電池を交換するときに、第１の導電端子のみを弾性変形させるのではなく、弾性を有する係止爪をも弾性変形させるようにしているので、ボタン電池を交換しても、第１の導電端子が金属疲労を起こしてへたってしまうといった事態が起き難く、弾性を有する係止爪の押しつぶし操作だけで、ボタン電池の交換ができるので、ボタン電池の交換が容易に行える。更に、第２の導電端子を、一組の電池収容穴部に収容された２個のボタン電池の各々の第２の電極に接触する２つの接触片を設けた構造にし、第１の導電端子を、一組の電池収容穴部に収容された２個のボタン電池の第１の電極の双方に接触するように設けられたＶ字状の接触片を有した構造とし、２個のボタン電池を並列に接続して収容する際に、１個の第１の導電端子と、１個の第２の導電端子とを用いればよいので、ボタン電池保持構造の組立てが容易に行える。
【００９９】
請求項５に記載のボタン電池保持構造では、第１の導電端子には、第１の導電端子のＶ字状の接触片が一組の電池収容穴部の開口の各々に設けられた弾性を有する係止爪と対向配置されるようにするための高さ調整をする軸体を設けているので、ハウジングと回路基板との距離にかかわらず、第１の導電端子のＶ字状の接触片を一組の電池収容穴部の開口の各々に設けられた弾性を有する係止爪に対向する位置に配置できる。
【０１００】
請求項６に記載のボタン電池保持構造では、更に、脱落防止片を、電池収容穴部の開口に突設するように設けたので、一組の電池収容穴部の各々に収容される２個のボタン電池の各々が、弾性を有する係止爪と第１の導電端子のＶ字状の接触片の半体片のとの挟持の他に、この脱落防止片によっても、電池収容穴部の開口から抜け落ちることが防止される。
【０１０１】
請求項７に記載のボタン電池保持構造では、脱落防止片が、一組の電池収容穴部の各々に形成した開口に面一になるように一体形成されているので、一組の電池収容穴部の各々の上面のスペースを有効利用できるとともに、ハウジングの上面の脱落防止片を設けた位置に、余分な段部や出張りがないので、見た目がスマートで美しい。
【０１０２】
請求項８に記載のボタン電池保持構造では、第１の導電端子のＶ字状の接触片の半体片の各々を脱落防止片で隠すようにしているので、外観がスマートである。且つ、第１の導電端子に、指の爪先（指先）その他何等かのものが接触し難いので、第１の導電端子のＶ字状の接触片が劣化し難い。
【０１０３】
請求項９に記載のボタン電池保持構造では、第２の導電端子が、一組の電池収容穴部の各々に収容される合計２個のボタン電池の第２の電極の各々に接触する２つの接触片を設け、回路基板に第２の導電端子を一個取り付けるだけで、２個のボタン電池の第２の電極の各々に電気的な接触を確保できるようにしているので、構成を簡単化できるとともに、ボタン電池保持構造の組立てが容易となる。
【０１０４】
請求項１０に記載のボタン電池保持構造では、第２の導電端子の２つの接触片の各々を、バネ状にしているので、第２の導電端子の２つの接触片の各々の復元力により、一組の電池収容穴部の各々に収容される２個のボタン電池の各々の一方の面の第２の電極と第２の導電端子２つの接触片の各々との、より確実な電気的な接触を確保できる。また、ボタン電池を取り出す際には、第２の導電端子の２つの接触片の復元力により、電池収容穴部から、ボタン電池が排出されるので、ボタン電池の交換が容易に行える。
【０１０５】
請求項１１に記載のボタン電池保持構造では、２つの接触片の各々を、一組のボタン電池収容部の各々の、一組のボタン電池収容部が互いに近接する側に設けているので、第２の導電端子を小型化できる。
【０１０６】
請求項１２に記載のボタン電池保持構造では、ストッパーにより、第１の導電端子のＶ字状の接触片の半体片の各々と第２の導電端子の２つの接触片の各々との接触が防止されるので、第１の導電端子と第２の導電端子とが短絡しない。
【０１０７】
請求項１３に記載のボタン電池保持構造では、弾性を有する係止爪を、ハウジングの一端から電池収容穴部の開口に突出するように且つ回路基板方向にＵ字形状に設け、その終端部がハウジングの面と同じ方向を向くようにした形状とし、係止爪を弾性変形させると、係止爪のＵ字形状をした部分の上側が押しつぶされた形状にすることができるようにしているので、これにより、電池収容穴部の間隔を広げることで、ボタン電池の交換を容易に行える。また、電池収容穴部に収容されたボタン電池の電池収容穴部の開口からの抜け落ちが、係止爪のハウジングの面と同じ方向を向くようにされた終端部の裏面によっても阻止されるので、電池収容穴部内にボタン電池をより安定して保持することができる。
【０１０８】
請求項１４に記載のボタン電池保持構造では、弾性を有する係止爪に、更に、ハウジングの外方へ突出するように、操作突部を設けたので、指の爪先（指先）等で、操作突部を押し操作しやすく、また、操作突部を指の爪先（指先）等で押し操作するだけで、係止爪のＵ字形状をした部分の上側が押しつぶされた形状にすることができるので、これにより、電池収容穴部の間隔を広げることで、ボタン電池の交換を容易に行える。
【０１０９】
請求項１５に記載のボタン電池保持構造では、ボタン電池保持構造に、回路基板を収容するベースハウジングを利用しているので、電子機器を組み立てる工程、即ち、電子部品が実装された回路基板を、ベースハウジングとカバー体とで構成されるハウジング内に収容する組立工程で、同時に組立てられ、組立の手間がかからないという利点があるので、種々の電子機器、例えば、ワイヤレス送信器のボタン電池保持構造として、好適に用いることができる。また、このボタン電池保持構造を採用した電子機器では、ボタン電池保持構造が、電子機器の裏面側に形成されるため、ボタン電池保持構造が、電子機器の操作スイッチ等が設けられるカバー体側に露呈しないため、外観がすっきりし、且つ、カバー体側を有効利用できる。
【０１１０】
請求項１６に記載のワイヤレス送信器では、ボタン電池保持構造に、回路基板を収容するベースハウジングを利用しているので、このボタン電池保持構造を採用した電子機器では、ボタン電池保持構造が、電子機器の裏面側に形成されるため、ボタン電池保持構造が、電子機器の操作スイッチ等が設けられるカバー体側に露呈しないため、外観がすっきりし、且つ、カバー体側を有効利用できる。また、通常の電子機器では、ハウジング内に収容されている回路基板には、カバー体に対向する側の表面に電子機器を制御する電子部品が実装され、ベースハウジングに対向する側の表面には、電子機器を制御する電子部品があまり実装されていない場合が多い。したがって、ボタン電池保持構造に、ベースハウジングを利用すれば、回路基板のベースハウジングに対向する表面に、第１、第２の導電端子を取り付ける構造となるので、回路基板の有効利用、及び、ベースハウジングと回路基板との間に形成される空間の有効利用を図ることができる。
【図面の簡単な説明】
【図１】本発明に係るボタン電池保持構造の一例を概略的に示す分解斜視図である。
【図２】本発明に係るボタン電池保持構造の一例を概略的に示す構成図であり、図２（ａ）は、図１に示すボタン電池保持構造をベースハウジングの外側から見た平面図を、図２（ｂ）は、図２（ａ）中に示すＩ−I線に従う概略的な縦断面図を、図２（ｃ）は、図２（ａ）中に示すII−II線に従う概略的な横断面図を、また、図２（ｄ）は、図２（ａ）中に示すIII−III線に従う概略的な横断面図を、各々、示している。
【図３】本発明に係るボタン電池保持構造の一例を、回路基板と、回路基板に取り付けられる第１の導電端子と第２の導電端子とを中心に示す、概略的な平面図である。
【図４】本発明に係るボタン電池保持構造の一例を、電池収容穴部の第１の導電端子を取り付ける部分を中心に説明する説明図でわり、図４（ａ）は、その概略的な斜視図を示しており、また、図４（ｂ）は、図４（ａ）中、ＩＶ−ＩＶ線にしたがう概略的な断面図である。
【図５】本発明に係るボタン電池保持構造の、弾性を有する係止爪の形状を拡大して概略的に示す断面図である。
【図６】本発明に係るボタン電池保持構造の電池収容穴部に収容されるボタン電池の状態を模式的に説明する説明図であり、図６（ａ）は、ベースハウジングの外側から見た平面図を示しており、図６（ａ）中、右側の電池収容穴部には、電池収容穴部に収容される途中のボタン電池の状態が模式的に示されており、左側の電池収容穴部には、電池収容穴部に収容されたボタン電池の状態が模式的に示されており、図６（ｂ）は、電池収容穴部３１に収容される途中のボタン電池Ｂの状態を模式的に説明する断面図であり、図６（ａ）中、Ｖ−Ｖ線にしたがう断面図を、また、図６（ｃ）は、電池収容穴部３１に収容されたボタン電池Ｂの状態を模式的に説明する断面図であり、図６（ａ）中、ＶＩ−ＶＩ線にしたがう断面図を、各々、示している。
【図７】ボタン電池の構成を概略的に示す斜視図である。
【図８】従来の電子機器に採用されている、ボタン電池を固定する蓋体を備えるボタン電池保持構造を概略的に示す構成図である。
【図９】従来のボタン電池保持構造の他例を概略的に示す構成図であり、図８（ａ）は、従来のボタン電池保持構造の他例を概略的に示す平面図であり、また、図８（ｂ）は、従来のボタン電池保持構造の他例の一部を切断して概略的に示す分解斜視図である。
【図１０】従来のボタン電池保持構造の他例に用いられる第１の導電端子及び第２の導電端子の形状を概略的に説明する説明図であり、図１０（ａ）は、第１の導電端子を概略的に示す斜視図を、また、図１０（ｂ）は、第１の導電端子を概略的に示す斜視図を、各々、示している。
【図１１】従来のボタン電池保持構造の他例にボタン電池を収容する工程を模式的に説明する説明図である。
【符号の説明】
１ ボタン電池保持構造
３ ベースハウジング
３ａ 開口
４ 第１の導電端子
４ａ 軸体
４ｂ Ｖ字状の接触片
４ｃ 突起
５ 第２の導電端子
５ａ 台座
５ｂ 接触片
５ｃ 突起
２０ 回路基板
２０ａ 取付孔
２０ｂ スリット状の取付孔
３１ 電池収容穴部
３２ 弾性を有する係止爪
３２ａ 係止爪の終端部
３２ｂ 操作突部
３３ 脱落防止片
Ｂ ボタン電池
Ｂａ ボタン電池の一方の面（第２の電極（負極））
Ｂｂ ボタン電池の他方の面（第１の電極（正極））
Ｂｃ ボタン電池の側周面（第１の電極（正極））
【図１】
0003575247.tif 000002
【図２】
0003575247.tif 000003
【図３】
0003575247.tif 000004
【図４】
0003575247.tif 000005
【図５】
0003575247.tif 000006
【図６】
0003575247.tif 000007
【図７】
0003575247.tif 000008
【図８】
0003575247.tif 000009
【図９】
0003575247.tif 000010
【図１０】
0003575247.tif 000011
【図１１】
0003575247.tif 000012